(57)【要約】【課題】部材の共通化を図ることができ、意匠性にも優れた框組み建具を提供することにある。【解決手段】無垢の木材や中質繊維板（ＭＤＦ）等の木質材料によって形成されたドア框１０と、このドア框１０に組み付けられる板ガラスからなる上部鏡板２０Ａ及び木製パネルからなる下部鏡板２０Ｂとを備えており、ドア框１０は、左右一対の縦框１１、１１と、この縦框１１、１１を、その上端部、中間部及び下端部で相互に連結する上框（上桟）１２、中框（中桟）１３及び下框（下桟）１４とから構成されている。縦框１１、１１と中框１３及び下框１４とは、接着剤によって固着されているが、縦框１１、１１と上框１２とは、接着剤を用いることなく、ねじ止めされており、縦框１１、１１に対して上框１２を着脱することができるようになっている。【選択図】        図１
2008266924.tif 000002
【特許請求の範囲】
【請求項１】
左右一対の縦框と、
左右一対の前記縦框の上端部同士を相互に連結する上框と、
左右一対の前記縦框の下端部同士を相互に連結する下框と、
ガラス製の鏡板と
を備え、
前記縦框には、ガラス製の前記鏡板の両側縁部を嵌め込む嵌合溝を有するモールが一体化されており、
前記上框には、ガラス製の前記鏡板の上縁部を嵌め込む嵌合溝を有するモールが一体化されており、
前記下框が左右一対の前記縦框に接着固定されると共に、前記上框が左右一対の前記縦框にねじ止めされていることを特徴とする框組み建具。
【請求項２】
左右一対の縦框と、
左右一対の前記縦框の上端部同士を相互に連結する上框と、
左右一対の前記縦框の下端部同士を相互に連結する下框と、
ガラス製の鏡板と
を備え、
前記縦框には、ガラス製の前記鏡板の両側縁部を嵌め込む嵌合溝を有するモールが一体化されており、
前記下框には、ガラス製の前記鏡板の下縁部を嵌め込む嵌合溝を有するモールが一体化されており、
前記上框が左右一対の前記縦框に接着固定されると共に、前記下框が左右一対の前記縦框にねじ止めされていることを特徴とする框組み建具。
【発明の詳細な説明】
【技術分野】
【０００１】
この発明は、ガラス製の鏡板が組み付けられた引き戸や開き戸等の框組み建具に関する。
【背景技術】
【０００２】
このように、ガラス製の鏡板が組み付けられた框組み建具では、ガラス製の鏡板が割れて破損することが考えられるので、ガラス製の鏡板については、これを交換することができるように、框に着脱可能に組み付けられている。
【０００３】
具体的には、図５に示すように、表裏一対のモール５３ａ、５３ｂによって鏡板５２の周縁部を挟み込んだ状態で、このモール５３ａ、５３ｂを框５１に取り付けることで、鏡板５２が框５１に組み付けられており、一方のモール５３ａは、取り外すことができないように、ステープル５４によって框５１にタッカー止めされているが、他方のモール５３ｂは、取り外すことができるように、框５１にねじ止めされている。
【０００４】
従って、ガラス製の鏡板５２が割れたときは、図６（ａ）に示すように、ねじ５５を外すことによって、片側のモール５３ｂを框５１から取り外して、割れた鏡板５２を新たな鏡板５２に交換した後、同図（ｂ）に示すように、片側のモール５３ｂを框５１に再度ねじ止めすることで、新たな鏡板５２を框５１に組み付けることができる。
【０００５】
【特許文献１】実開昭６３−１７４２９１号公報
【発明の開示】
【発明が解決しようとする課題】
【０００６】
しかしながら、上述したような框組み建具では、モール５３ｂを框５１に固定しているねじ５５の頭部が露出することになり、意匠性が悪いといった問題がある。
【０００７】
また、鏡板が木製パネルの場合は、鏡板を交換する必要がないので、予めモールが一体化された框を使用しており、鏡板がガラス製の場合と木製パネルの場合で、部材の共通化ができず、框組み建具を製造するために、予め準備しておく部材の種類が多くなるといった問題もある。
【０００８】
そこで、この発明の課題は、部材の共通化を図ることができ、意匠性にも優れた框組み建具を提供することにある。
【課題を解決するための手段】
【０００９】
上記の課題を解決するため、請求項１に係る発明は、左右一対の縦框と、左右一対の前記縦框の上端部同士を相互に連結する上框と、左右一対の前記縦框の下端部同士を相互に連結する下框と、ガラス製の鏡板とを備え、前記縦框には、ガラス製の前記鏡板の両側縁部を嵌め込む嵌合溝を有するモールが一体化されており、前記上框には、ガラス製の前記鏡板の上縁部を嵌め込む嵌合溝を有するモールが一体化されており、前記下框が左右一対の前記縦框に接着固定されると共に、前記上框が左右一対の前記縦框にねじ止めされていることを特徴とする框組み建具を提供するものである。
【００１０】
また、上記の課題を解決するため、請求項２に係る発明は、左右一対の縦框と、左右一対の前記縦框の上端部同士を相互に連結する上框と、左右一対の前記縦框の下端部同士を相互に連結する下框と、ガラス製の鏡板とを備え、前記縦框には、ガラス製の前記鏡板の両側縁部を嵌め込む嵌合溝を有するモールが一体化されており、前記下框には、ガラス製の前記鏡板の下縁部を嵌め込む嵌合溝を有するモールが一体化されており、前記上框が左右一対の前記縦框に接着固定されると共に、前記下框が左右一対の前記縦框にねじ止めされていることを特徴とする框組み建具を提供するものである。
【発明の効果】
【００１１】
以上のように、請求項１に係る発明の框組み建具は、縦框及び上框に、ガラス製の鏡板の両側縁部及び上縁部を嵌め込む嵌合溝を有するモールが一体化されており、上框が左右一対の縦框にねじ止めされているので、ねじを外して縦框から上框を外すと、割れたガラス製の鏡板を縦框の上端側に引き抜いて取り外すことができると共に、新たなガラス製の鏡板を縦框の上端側から差し込んで、上框を縦框に再度ねじ止めすることで、ガラス製の鏡板を簡単に組み付けることができる。
【００１２】
また、請求項２に係る発明の框組み建具は、縦框及び下框に、ガラス製の鏡板の両側縁部及び上縁部を嵌め込む嵌合溝を有するモールが一体化されており、下框が左右一対の縦框にねじ止めされているので、ねじを外して縦框から下框を外すと、割れたガラス製の鏡板を縦框の下端側に引き抜いて取り外すことができると共に、新たなガラス製の鏡板を縦框の下端側から差し込んで、下框を縦框に再度ねじ止めすることで、ガラス製の鏡板を簡単に組み付けることができる。
【００１３】
従って、請求項１、２に係る発明の框組み建具は、片側のモールを框から取り外すことができるように、片側のモールを框にねじ止めしている従来の框組み建具のように、意匠性が悪くなることがなく、しかも、鏡板がガラス製の場合と木製パネルの場合とで部材を共通化することができるので、部材の種類を最小限に抑えることができる。
【発明を実施するための最良の形態】
【００１４】
以下、実施の形態について図面を参照して説明する。図１に示すように、この框組みドア１は、例えば、無垢の木材や中質繊維板（ＭＤＦ）等の木質材料によって形成されたドア框１０と、このドア框１０に組み付けられる板ガラスからなる上部鏡板２０Ａ及び木製パネルからなる下部鏡板２０Ｂとを備えており、ドア框１０は、左右一対の縦框１１、１１と、この縦框１１、１１を、その上端部、中間部及び下端部で相互に連結する上框（上桟）１２、中框（中桟）１３及び下框（下桟）１４とから構成されている。
【００１５】
前記縦框１１、上框１２、中框１３及び下框１４には、図１及び図２（ａ）、（ｂ）に示すように、それぞれの内縁側に、上部鏡板２０Ａ及び下部鏡板２０Ｂの周縁部を嵌め込む嵌合溝ｇ（上框１２、中框１３及び下框１４については図示せず）が形成されたモール部ＭＰが一体的に形成されており、上框１２、中框１３及び下框１４には、それぞれの両端部に、縦框１１のモール部ＭＰに嵌め込まれる嵌合凹部１２ａ（中框１３及び下框１４については図示せず）が形成されている。
【００１６】
前記縦框１１、１１と中框１３及び下框１４とは、接着剤によって固着されているが、縦框１１、１１と上框１２とは、接着剤を用いることなく、ねじ止めされており、縦框１１、１１に対して上框１２を着脱することができるようになっている。なお、縦框１１には、ねじＳを挿通するためのねじ挿通孔ｓｈが予め形成されていると共に、上框１２にも、縦框１１のねじ挿通孔ｓｈに対応する位置にねじ導入孔が予め形成されている。
【００１７】
以上のように、この框組みドア１は、縦框１１、上框１２及び中框１３に、板ガラス製の上部鏡板２０Ａの両側縁部、上縁部及び下縁部を嵌め込む嵌合溝ｇを有するモール部ＭＰが一体的に形成されており、しかも、上框１２が左右一対の縦框１１、１１にねじ止めされているので、図３（ａ）に示すように、ねじＳを外して縦框１１、１１から上框１２を外すと、同図（ｂ）に示すように、板ガラス製の上部鏡板２０Ａを縦框１１の上端側に引き抜いて取り外すことができると共に、新たな板ガラス製の上部鏡板２０Ａを縦框１１の上端側から差し込んで、上框１２を縦框１１、１１に再度ねじ止めすることで、板ガラス製の上部鏡板２０Ａを簡単に組み付けることができる。従って、板ガラス製の上部鏡板２０Ａが割れたような場合は、簡単に交換することができる。
【００１８】
また、この框組みドア１は、ドア框１０を構成している縦框１１、上框１２、中框１３及び下框１４に、上部鏡板２０Ａ及び下部鏡板２０Ｂの周縁部を嵌め込む嵌合溝ｇを有するモール部ＭＰが一体的に形成されているので、片側のモールを框から取り外すことができるように、片側のモールを框にねじ止めしている従来の框組み建具のように、意匠性が悪くなることがなく、しかも、鏡板がガラス製の場合と木製パネルの場合とで部材を共通化することができるので、部材の種類を最小限に抑えることができる。
【００１９】
また、この框組みドア１は、中框１３及び下框１４を縦框１１、１１に接着固定し、上框１２だけを縦框１１、１１にねじ止めするようにしているので、一方の縦框１１に上框１２、中框１３及び下框１４を接着固定し、他方の縦框１１を上框１２、中框１３及び下框１４にねじ止めする場合に比べて、接着固定部分からねじ止め部分までの距離を十分に確保することができる。従って、木材のうねりや反りに伴うドア框１０の変形を吸収しやすく、一旦取り外したねじＳによって再度ねじ止めする際、ねじ止めし易いという効果がある。
【００２０】
なお、上述した実施形態では、板ガラスからなる上部鏡板２０Ａ及び木製パネルからなる下部鏡板２０Ｂがドア框１０に組み付けられた框組みドア１について説明したが、これに限定されるものではなく、例えば、図４（ａ）、（ｂ）に示すように、板ガラスからなる１枚の鏡板２０だけが、縦框１１、１１、上框１２及び下框１４からなるドア框１０Ａに組み付けられた框組みドア２Ａ、２Ｂについても、本発明を適用することができる。
【００２１】
この場合は、同図（ａ）に示すように、縦框１１、１１と上框１２とをねじ止めすると共に縦框１１、１１と下框１４とを接着固定するようにしてもよく、同図（ｂ）に示すように、縦框１１、１１と上框１２とを接着固定すると共に縦框１１、１１と下框１４とをねじ止めするようにしてもよい。
【００２２】
また、上述した実施形態では、開き戸について説明したが、これに限定されるものではなく、本発明の框組み建具は、ガラス製の鏡板が組み付けられた引き戸についても適用することができることはいうまでもない。
【図面の簡単な説明】
【００２３】
【図１】この発明に係る框組み建具の一実施形態である框組みドアを示す正面図である。
【図２】（ａ）は図１のＸ−Ｘ線に沿った断面図、（ｂ）は図１のＹ−Ｙ線に沿った断面図である。
【図３】（ａ）、（ｂ）は同上の框組みドアにおける上部鏡板の着脱方法を説明するための説明図である。
【図４】（ａ）、（ｂ）は他の実施形態である框組みドアを示す正面図である。
【図５】従来の框組み建具におけるガラス製の鏡板の組付構造を示す断面図である。
【図６】（ａ）、（ｂ）は同上の框組み建具におけるガラス製の鏡板の交換方法を説明するための説明図である。
【符号の説明】
【００２４】
１、２Ａ、２Ｂ  框組みドア
１０、１０Ａ  ドア框
１１  縦框
１２  上框（上桟）
１２ａ  嵌合凹部
１３  中框（中桟）
１４  下框（下桟）
２０  鏡板
２０Ａ  上部鏡板
２０Ｂ  下部鏡板
ＭＰ  モール部
ｇ  嵌合溝
Ｓ  ねじ
ｓｈ  ねじ挿通孔
【図１】
2008266924.tif 000003
【図２】
2008266924.tif 000004
【図３】
2008266924.tif 000005
【図４】
2008266924.tif 000006
【図５】
2008266924.tif 000007
【図６】
2008266924.tif 000008